(57)【要約】      （修正有）【課題】ベース板に形成された文様または幾何学的図形によって装飾性を発揮するだけでなく、多様な位置に収納部材を設置することができ、また収納部材を簡単に結合及び解体することができて、装飾性と共に収納機能を有する装飾板を提供する。【解決手段】収納機能を有する装飾板であって、一つ以上の係止長孔１１１が形成されるベース板１００と、ベース板に接触する一つのベース板接触板部２１０と、ベース板接触板部に連結されて上方が開口された収納空間２３０を形成する二つ以上のベース板非接触板部２２０と、ベース板接触板部から突き出されて形成される係止具とを含む収納部材２００と、を含み、収納部材の係止具は、ベース板に形成された係止長孔に挟まれることによって収納部材がベース板に固定される。【選択図】図１
0003208734.tif 000002
【実用新案登録請求の範囲】
【請求項１】
一つ以上の係止長孔が形成されるベース板と、前記ベース板に接触する一つのベース板接触板部と、前記ベース板接触板部に連結されて上方が開口された収納空間を形成する二つ以上のベース板非接触板部と、前記ベース板接触板部から突き出されて形成された係止具とを含む収納部材とを、含む装飾板として、
前記収納部材の前記係止具は、前記ベース板に形成された前記係止長孔に挟まれることによって、前記収納部材が前記ベース板に固定されることを特徴とする収納機能を有する装飾板。
【請求項２】
前記係止長孔は水平に形成された水平係止長孔、または、中央部が高くて末端部が低くなるように形成された山形状を有するかすがい型係止長孔、または、中央部が低くて末端部が高くなるように形成されたＶ形状を有するかすがい型係止長孔であることを特徴とする請求項１に記載の収納機能を有する装飾板。
【請求項３】
前記ベース板には、一つ以上の装飾長孔が形成されており、前記装飾長孔は、前記係止長孔に隣接するように配置されることによって、前記係止長孔とともに文様または幾何学的図形を形成することを特徴とする請求項２に記載の収納機能を有する装飾板。
【請求項４】
前記ベース板接触板部は、前記文様または前記幾何学的図形の内部に配置されたことを特徴とする請求項３に記載の収納機能を有する装飾板。
【請求項５】
前記係止具は、前記ベース板接触板部の上部角から延長されて形成されたことを特徴とする請求項１〜４の何れか１項に記載の収納機能を有する装飾板。
【請求項６】
前記係止具は、前記ベース板接触板部から垂直するように突き出されて形成された垂直板部と、前記垂直板部から下方へ、そして前記ベース板接触板の方へ傾斜するように形成された傾斜板部とを含むものである、または、前記ベース板接触板部から垂直するように突き出されて形成される垂直板部と、前記垂直板部から下方へ、そして前記ベース板接触板部と平行に形成される平行板部とを含むものであることを特徴とする請求項１〜５の何れか１項に記載の収納機能を有する装飾板。
【請求項７】
前記係止具は、前記ベース板接触板部全体で一つ形成された、または前記ベース板接触板部に部分的に二つ以上形成されたことを特徴とする請求項６に記載の収納機能を有する装飾板。
【請求項８】
一つのベース板接触板部と、前記ベース板接触板部に連結されて上方が開口された収納空間を形成する二つ以上のベース板非接触板部と、前記ベース板接触板部から突き出されて形成された係止具とを含む収納部材であって、
前記係止具は、前記ベース板接触板部から垂直するように突き出されて形成された垂直板部と、前記垂直板部から下方へ、そして前記ベース板接触板の方へ傾斜するように形成された傾斜板部とを含むものであるとか、または前記ベース板接触板部から垂直するように突き出されて形成される垂直板部と、前記垂直板部から下方へ、そして前記ベース板接触板部と平行に形成された平行板部とを含むことを特徴とする収納部材。
【考案の詳細な説明】
【技術分野】
【０００１】
本考案は収納機能を有する装飾板に関し、更に詳しくには、ベース板に形成された文様または幾何学的図形によって装飾性を発揮するだけでなく、多様な位置に収納部材を設置することができ、また収納部材を簡単に結合及び解体することができて、装飾性と共に収納機能を便利に有する装飾板に関するものである。
【背景技術】
【０００２】
一般的に室内空間の雰囲気を良くするために多様な装飾物が設置される。そのような装飾物は床や天井にも設置されることができるが、多くの場合壁に設置される。壁に設置される装飾物としては絵や写真が挟まれた額縁が活用されたり、装飾板が壁に設置されたりする。
【０００３】
特許文献１は、装飾用板を開示する。開示された装飾用板は、ケースの内部に形成された開口部に、透明な材質のプラスチックから形成される装飾板が設置され、装飾板の背面には各種文様を凹むように形成させた凹凸部が形成され、凹凸部の背面には金属板が配置される構造で形成される。ここで、凹凸部の凹面には金属粉末が塗布されている。それで、凹凸部の形状は光の乱反射によって、金属板と共に眺める角度により立体的な彫刻の形態をすることになり装飾的効果を提供するよるになる。一方、開口部の下側には物体をかけることができるように、突き出されたピン型の掛具が所定個数で形成されている。
【０００４】
特許文献２は、壁装飾材を開示する。開示された壁装飾材は、一定の長さで形成されたフレームと、前記フレームを連結した状態で壁に固定するように形成された連結具及び所定間隔で離隔された二つのフレームとの間に挟んで固定するように形成された装飾板で構成される。ここで、装飾板は中央が突き出されるように両側が曲げられた状態で、二つのフレームの間に掛けられるもので、内部の光が外部に透過されるように、半透明材質から形成される。装飾板内部の壁には照明が設置される。
【０００５】
特許文献３は、記念品を収容する展示パネルと、この展示パネルを外部に露出しないように内部に収容する（収納状態）、または外部に露出するように起立状態で収容する展示ボックスとを含んで構成されるボックス型装飾板を開示する。このようなボックス型装飾板は、展示パネルによって記念品が保護されることにより、記念品の光沢または表面状態が損傷されることなく、展示パネルに記念品を脱着可能に設置することができる。
【０００６】
特許文献４は、審美感を向上させ、装飾効果を最大化することができる植木鉢を開示する。開示された植木鉢は前面と後面に装飾部を有する装飾板と、前記装飾部に接着固定される装飾材と、装飾板の一側面に貫通形成される植栽部と、装飾板下端に設置されて装飾板を支持する支え部とを、含んで構成される。ここで、内部に空間部を有する植栽部には、植物を植栽するとか他の植木鉢を掛けるようになる。
【先行技術文献】
【特許文献】
【０００７】
【特許文献１】韓国登録実用新案第２０−０３０３９６３号公報
【特許文献２】韓国登録特許第１０−１１５００４７号公報
【特許文献３】韓国登録実用新案第２０−０４５７２８９号公報
【特許文献４】韓国登録実用新案第２０−０４７３７５３号公報
【考案の概要】
【考案が解決しようとする課題】
【０００８】
上記で開示したように、従来には多様な形態の装飾板が提案されてきた。しかし、装飾性に加えて多様な収納機能を実質的に備えた装飾板はいまだに提案されていなかった。しかも、収納部材の配列を使用者が選択するによって装飾性及び収納性に加えて使用利便性を向上させた装飾板は提案されていなかった。
【０００９】
そして、本考案の目的は、ベース板に形成された文様または幾何学的図形によって装飾性を発揮するだけでなく、多様な位置に収納部材を設置することができ、また収納部材を簡単に結合及び解体することができて、装飾性と共に収納機能を有する装飾板を提供することにある。
【００１０】
また、本考案の目的は、使用者が収納部材の配列を選択するによって使用利便性及び満足感を向上させた装飾板を提供することにある。
【００１１】
本考案の他の目的ないし利点は、以下で提供する詳細な説明によって更に明確に理解されることである。
【課題を解決するための手段】
【００１２】
上述した目的を果たすための本考案の装飾板は、一つ以上の係止長孔が形成されるベース板と、前記ベース板に接触する一つのベース板接触板部と、前記ベース板接触板部に連結されて上方が開口された収納空間を形成する二つ以上のベース板非接触板部と、前記ベース板接触板部から突き出されて形成される係止具とを含む収納部材とを、含む。本考案の装飾板において、前記収納部材の前記係止具は、前記ベース板に形成された前記係止長孔に挟まれることによって前記収納部材が前記ベース板に固定されることである。
【００１３】
前記係止長孔は水平に形成された水平係止長孔であるとか、中央部が高くて末端部が低くなるように形成される山形状を有するとか、或は中央部が低くて末端部が高くなるように形成されるＶ形状を有するかすがい型係止長孔であることが好ましい。
【００１４】
前記ベース板には、一つ以上の装飾長孔が形成されていて、前記装飾長孔は前記係止長孔に隣接するように配置されることによって、前記係止長孔とともに文様または幾何学的図形を形成することが好ましい。
【００１５】
前記ベース板接触板部は、前記文様または前記幾何学的図形の内部に配置されることが好ましい。
【００１６】
前記係止具は、前記ベース板接触板部の上部角から延長されて形成されることが好ましい。
【００１７】
前記係止具は、前記ベース板接触板部から垂直するように突き出されて形成される垂直板部と、前記垂直板部から下方へ、そして前記ベース板接触板の方へ傾斜するように形成される傾斜板部とを含むことができる。
【００１８】
前記係止具は、前記ベース板接触板部から垂直するように突き出されて形成される垂直板部と、前記垂直板部から下方へ、そして前記ベース板接触板部と平行に形成される平行板部とを含むことができる。
【００１９】
前記係止具は、前記ベース板接触板部全体で一つ形成される、または前記ベース板接触板部に部分的に二つ以上形成されることができる。
【００２０】
本考案は、また上記で言及した収納部材を提供することである。
【考案の効果】
【００２１】
本考案の装飾板は、ベース板に形成された文様または幾何学的図形によって装飾性を提供するだけでなく収納機能を提供する。本考案の装飾板において、収納部材は多様な位置に設置されることができ、またそれの結合及び解体が容易となるように形成される。本考案の装飾板において、収納部材の配列は使用者の選択によって多様に形成されることができるので、使用の利便性及び満足感が一層向上される。
【図面の簡単な説明】
【００２２】
【図１】本考案の一実施例による装飾板の一部分解斜視図を示した図面である。
【図２】図１の実施例の装飾板に適用される収納部材の斜視図である。
【図３】本考案の他の実施例による装飾板の一部分解斜視図を示した図面である。
【図４】図３の実施例の装飾板に適用される収納部材の斜視図である。
【図５】本考案の装飾板を壁にかけるための掛け孔の形成例を図示した図面である。
【考案を実施するための形態】
【００２３】
以下、図面を参照しながら本考案を詳しく説明する。
【００２４】
図１に図示されたように、本考案の装飾板１０はベース板１００と収納部材２００とを含む。
【００２５】
ベース板１００は、広い面積で形成されて、ベース板１００が壁に掛けられた時に正面で認識される前方板部１１０と、前方板部１１０の上側から垂直に折曲されて形成される上側折曲板部１２０と、前方板部１１０の下側から垂直に折曲されて形成される下側折曲板部と、前方板部１１０の左側及び右側から垂直に折曲されて形成される左側折曲板部及び右側折曲板部、即ち一対の側面折曲板部１４０とを、含むように構成されることができる。もちろん、ベース板１００は前方板部１１０だけで構成されることも可能である。ベース板１００において、前方板部１１０、上側折曲板部１２０、下側折曲板部、左側折曲板部及び右側折曲板部は、前方板部１１０を折曲することによって一体に形成されることが好ましいが、場合によっては、それぞれの板を溶接などによって一体に結合した形態で形成されることも可能である。
【００２６】
ベース板１００の前方板部１１０には、一つ以上の係止長孔１１１が形成されている。 係止長孔１１１は後述するように、収納部材２００の係止具２４０が挟まれるものである。 係止長孔１１１は図１に図示された実施例によれば、水平に形成される水平係止長孔である。係止長孔１１１は通常は複数個形成される。従って、本考案の装飾板には、複数個の収納部材２００が附着することができる。
【００２７】
ベース板１００には、係止長孔１１１に加えて一つ以上の装飾長孔１１３が形成されていることが好ましい。装飾長孔１１３は、収納部材２００の係止具２４０が挟まれないという点を除き、係止長孔１１１と同一な形状で形成されることが一般的である。このような装飾長孔１１３は、係止長孔１１１に隣接するように配置されることによって係止長孔１１１と共に幾何学的図形を形成するようになる。図１には、一つの係止長孔１１１と二つの装飾長孔１１３によって三角形図形が形成されている例が図示されている。係止長孔１１１と装飾長孔１１３によって幾何学的図形が形成される代りに、各種の動物文様、植物文様などのような文様が形成されることも可能である。係止長孔１１１と、装飾長孔１１３と、装飾長孔１１３との間は互いに隣接しているが連結されてはいない。
【００２８】
係止長孔１１１と装飾長孔１１３によって形成される幾何学的図形の中で、どれが係止長孔１１１にあたって、どれが装飾長孔１１３にあたるかは、収納部材２００が挟まれるか、挟まれないかによって決まるが、一般的に幾何学的図形の中で一番上部に形成された長孔が係止長孔１１１になる。
【００２９】
係止長孔１１１と装飾長孔１１３の幅及長さ、そして係止長孔１１１と装飾長孔１１３との間の間隔及び装飾長孔１１３の間の間隔は、ベース板１００の装飾性及び堅固性を考慮して適当に選択することができるが、例えば、係止長孔１１１と装飾長孔１１３の幅は、２〜２０ｍｍぐらいを選択することができるし、係止長孔１１１と装飾長孔１１３の長さは５０〜５００ｍｍぐらいを選択することができる。係止長孔１１１と装飾長孔１１３との間の間隔及び装飾長孔１１３との間の間隔は、５〜３０ｍｍぐらいを選択することができる。
【００３０】
ベース板１００において、係止長孔１１１は複数個が配列されて、それ自体で装飾性を有することもできるが、装飾長孔１１３と共に幾何学的図形を形成することによって、もっと明らかな装飾性を提供するようになる。
【００３１】
ベース板１００には、係止長孔１１１と装飾長孔１１３が形成されない領域が含まれることができるし、そのような領域にはポストイットのような接着性メモ帳が附着することができる。またベース板１００が鉄のような磁石が附着される金属から形成される場合、そのような領域はベース板１００にメモ帳を乗せた後、そのメモ帳に磁石を附着することによってメモ帳をベース板１００に固定する用途で使われることができる。係止長孔１１１と装飾長孔１１３が形成された領域と、形成されない領域の配置を適切にすることにより、ベース板１００はそれ自体で装飾性を提供することができる。ベース板１００は金属以外にもプラスチック材料で製造されることも可能である。
【００３２】
ベース板１００において、係止長孔１１１ 及び装飾長孔１１３はベース板１００が金属で製造される場合には、穴あけ加工によって形成されることができ、ベース板１００がプラスチック材料で製造される場合には射出成形によって形成されることができる。
【００３３】
次に、収納部材２００は、図１及び図２に図示されたように、ベース板１００に接触する一つのベース板接触板部２１０と、二つ以上のベース板非接触板部２２０とを有する。収納部材２００において、ベース板接触板部２１０とベース板非接触板部２２０は一体に形成されることが好ましいが、結合及び解体が可能な分離型で形成されることも可能である。収納部材２００を一体に形成する方法は、射出成形による、または、それぞれの板部を溶接などによって一体に結合するによることができる。ベース板接触板部２１０とベース板非接触板部２２０によって形成される収納部材２００は、上方が開口された収納空間を有し、このような収納空間には、定規、鉛筆、ボールペン、万年筆などのような多様な物品が収納されることができる。また収納空間に土を満たして植物を植栽するによって収納部材２００を植木鉢で活用することも可能である。
【００３４】
ベース板接触板部２１０は、長孔１１１と装飾長孔１１３によって形成される幾何学的図形の内部に配置されるものである。この場合、ベース板接触板部２１０はベース板接触板部２１０の該当角が装飾長孔１１３にほとんど隣接するように配置されて、係止具２４０がベース板接触板部２１０の上部角から延長されて形成される場合、ベース板接触板部２１０の該当角が係止長孔１１１に一致するように配置される大きさを有することである。従って、ベース板接触板部２１０は、係止長孔１１１と装飾長孔１１３によって形成される幾何学的図形とほぼ同一な形状を有することである。
【００３５】
一方、係止長孔１１１と装飾長孔１１３によって各種文様が形成される場合にも、ベース板接触板部２１０は、そのような文様の内部に配置される。更に好ましくはベース板接触板部２１０は、長孔１１１と装飾長孔１１３によって形成される文様とほぼ同一な形状を有することである。
【００３６】
このように、ベース板接触板部２１０が、係止長孔１１１と装飾長孔１１３によって形成される幾何学的図形または文様内部に配置されて、更に好ましくはそのような図形または文様とほぼ一致する形状を有することにより、本考案の装飾板１０は装飾性と収納性を同時に満足するようになる。即ち、本考案の装飾板１０によれば、係止長孔１１１と装飾長孔１１３によって形成される文様または幾何学的図形によって装飾性が発揮されて、収納部材２００によって収納性が発揮される。それだけではなく本考案の装飾板１０は収納部材２００がベース板１００に具現された装飾性を妨害しないうえ、そのように具現された装飾性に加えてベース板１００において、装飾性を具現する文様または幾何学的図形と調和を成すように配置されることにより、収納部材２００の配置によって新しい装飾性を具現することである。
【００３７】
図１及び図２には、一つのベース板接触板部２１０と二つのベース板非接触板部２２０を有する収納部材２００の例が図示されている。ベース板接触板部２１０及びベース板非接触板部２２０は三角形の形状を有する。ベース板非接触板部２２０はベース板接触板部２１０に連結されて形成される。ベース板接触板部２１０とベース板非接触板部２２０によって形成される収納部材２００は、上方が開口された収納空間２３０を有する。即ち、ベース板非接触板部２２０は、上方が開口された収納空間２３０を形成するようにベース板接触板部２１０から延長されて形成される。
【００３８】
収納部材２００は鉄のような金属から形成されることが好ましいが、プラスチック材料から形成されることが好ましい。収納部材２００はベース板接触板部２１０及びベース板非接触板部２２０が別途に形成され、それらが溶接などによって結合する構造で形成されることも可能であるが、射出成形によって一体に形成されることが更に好ましい。
【００３９】
収納部材２００は、また係止具２４０を有する。係止具２４０は、ベース板接触板部２１０から突き出されて形成される。係止具２４０は、特にベース板接触板部２１０の上部角から延長されて形成されることが好ましい。係止具２４０は、ベース板部１００に形成された係止長孔１１１に挟まれることによって収納部材２００がベース板１００に固定される。
【００４０】
係止具２４０は、ある実施例によれば図２に図示されたように、垂直板部２４１及び傾斜板部２４３を含んで構成されることができる。係止具２４０において、垂直板部２４１はベース板接触板部２１０から、特にベース板接触板部２１０の上部角から、ベース板接触板部２１０に対して垂直に突き出されて形成される。即ち、垂直板部２４１はベース板接触板部２１０に対して垂直となった板である。傾斜板部２４３は垂直板部２４１から下方へ、そしてベース板接触板部２１０の方へ傾斜するように形成される。
【００４１】
一方、係止具２４０は、代案的に、垂直板部２４１と平行板部２４３'を含んで構成されることができる。ここで、垂直板部２４１は前記で説明したように同一であり、平行板部２４３'は、垂直板部２４１から下方へ、そしてベース板接触板部２１０と平行に形成される。
【００４２】
係止具２４０は、ベース板接触板部２１０と一体に形成されることが好ましい。また係止具２４０において、垂直板部２４１及び傾斜板部２４３または平行板部２４３'は一体に形成されることが好ましい。一体に形成する方法はベース板接触板部２１０とともに射出成形によって形成されることができる。
【００４３】
このような係止具２４０は、傾斜板部２４３または平行板部２４３'がベース板１００の前方板部１１０に形成された係止長孔１１１に挟まれ、前方板部１１０の後方を支持することによって収納部材２００をベース板１００に固定させる役目を果たすようになる。また係止具２４０において、垂直板部２４１も係止長孔１１１においてベース板１００の前方板部１１０に接触することになる。即ち、収納部材２００は、ベース板接触板部２１０、係止具２４０の垂直板部２４１と傾斜板部２４３、または平行板部２４３'の協同によってベース板１００に固定される。
【００４４】
そのような結果で装飾長孔１１３は、ベース板接触板部２１０によって覆われないため、完全な形態で見れるのに反して、係止長孔１１１は、係止具２４０が挟まれるので係止具２４０によって相当部分が遮られ、係止長孔１１１の上部及び側方角ぐらいだけが外部から見れるようになる。
【００４５】
係止具２４０は、ベース板接触板部２１０全体で一つが形成されることが好ましい。 この場合、係止具２４０の長さは係止長孔１１１の長さと一致するようになる。一方、係止具２４０は場合によって、ベース板接触板部２１０の両側面角から始めて、部分的に形成される二つ以上形成されることもできる。係止具２４０が部分的に形成される二つ形成される場合、この場合にも、一つの係止具２４０の開始地点から他の係止具２４０の終わり地点までの長さは、係止長孔１１１の長さと一致するようになる。
【００４６】
次に、図３及び図４には本考案の他の実施例による装飾板１０が図示されている。
【００４７】
図３に図示された実施例の装飾板１０が、上記で説明した実施例との相違点は、係止長孔１１１の形状にある。図３には、中央部が高くて末端部が低くなるように形成される山形状のかすがい型係止長孔１１１が図示されている。これに互応して装飾長孔１１３も同一の形状を有する。そうして、一つの係止長孔１１１と二つの装飾長孔１１３によって六角形の図形が形成される。
【００４８】
図３の実施例の装飾板１０は、図４に更に詳しく図示したように、係止長孔１１１と装飾長孔１１３によって形成される図形の形状、即ち、六角形の形状を有するベース板接触板部２１０を有するということは上記で説明した通りである。
【００４９】
一方、装飾長孔１１３が山形状を有することに対応して、収納部材２００のベース板非接触板部２２０は、一つの装飾長孔１１３に対して二つ形成される。従って、図３及び図４の実施例では、収納部材２００は三角形の形状になった４個のベース板非接触板部２２０を有する。
【００５０】
一方、他の実施例で図面に図示しなかったが、係止長孔１１１は中央部が低く末端部が高くなるように形成されるＶ形状を有するかすがい型係止長孔で形成することも可能である。
【００５１】
最後に、図５に図示されたように、本考案の装飾板１０は、掛け孔１３１を有することができる。このような掛け孔１３１は、壁に設置される掛け釘のような掛け手段にベース板１００がかかるようにするものである。掛け孔１３１はベース板１００の前方板部１１０に設置されることも可能であるが、ベース板１００が安定的にかかりながら収納部材２００が係止長孔１１１に安定的にかかって、またデザイン的価値も一緒に具現するために掛け孔折曲板部１３０に形成されることが好ましい。掛け孔折曲板部１３０は、ベース板１００の上側折曲板部１２０から折曲されて前方板部１１０と平行となるように形成される。掛け孔折曲板部１３０は、前方板部１１０と対向する配置で形成されるので、壁に設置された掛け用釘が掛け孔１３１に挿入される時、そのような掛け用釘は外部から見えなくなり、本考案の装飾板１０は、更に美麗なデザインを提供することになる。
【符号の説明】
【００５２】
１０：装飾板                               １００：ベース板
１１０：前方板部                           １１１：係止長孔
１１３：装飾長孔                           １２０：上側折曲板部
１３０：掛け孔折曲板部                     １３１：掛け孔
１４０：側面折曲板部                      ２００：収納部材
２１０：ベース板接触板部                  ２２０：ベース板非接触板部
２３０：収納空間                          ２４０：係止具
２４１：垂直板部                          ２４３：傾斜板部
２４３'：平行板部
【図１】
0003208734.tif 000003
【図２】
0003208734.tif 000004
【図３】
0003208734.tif 000005
【図４】
0003208734.tif 000006
【図５】
0003208734.tif 000007